(57)【特許請求の範囲】
【請求項１】
クッション体を下方に向かって二つ折りして、背板の上方より被嵌し、クッション体における背板の前面を覆う前覆い部の後面に設けた係合部を、クッション体における背板の後面を覆う後覆い部の前面に設けた被係合部に、背板に設けた貫通孔を介して係合させることにより、クッション体を背板に取付けたことを特徴とする椅子の背板へのクッション体の取付構造。
【請求項２】
クッション体における前覆い部の下端部後面または後覆い部の下端部前面を、背板における対応部に係止する係止手段を設けた請求項１記載の椅子の背板へのクッション体の取付構造。
【請求項３】
背板における中間部から下方の部分を、上方の部分より後方に凹入させるとともに、その前面を前面覆い板により覆い、背板の上方の部分の前面と前面覆い板の前面とを、側面視において中間部が前方に突出するなだらかな屈曲面とし、クッション体における前覆い部により、前記屈曲面の全面を覆うとともに、クッション体における後覆い部により、前記背板の上方の部分の後面を覆った請求項１または２記載の椅子の背板へのクッション体の取付構造。
【請求項４】
クッション体が、背面側に可撓性の縁材を備えるものとし、この縁材に、係合部および被係合部を設けた請求項１〜３のいずれかに記載の椅子の背板へのクッション体の取付構造。
【請求項５】
背板の両側縁に、背板より前後方向に突出する側杆を設け、クッション体を、前記左右の側杆間に配設した請求項１〜４のいずれかに記載の椅子の背板へのクッション体の取付構造。
【発明の詳細な説明】
【技術分野】
【０００１】
本発明は、椅子の背板へのクッション体の取付構造に関する。
【背景技術】
【０００２】
従来の椅子の背板へのクッション体の取付構造としては、多数の透孔を設けた背板(シェル)を成形型に装着し、成形型内に樹脂を注入して発泡させてインサートモールディングすることにより、背板の前後の樹脂が背板の透孔を通して結合し、背板の前後面に発泡弾性体を一体的に形成するようにしたもの(例えば特許文献１参照)や、背板の上方より、袋状としたクッション体を被嵌し、クッション体の前下部を背板に止着したもの(例えば特許文献２参照)、クッション体の一端に止着した弾性挾持板を、背板の一端部に圧嵌し、背板の他端部側に突設した係合突起を、クッション体の他端部の背面に止着した取付板に設けた係合孔に嵌合係止したもの(例えば特許文献３参照)等がある。
【先行技術文献】
【特許文献】
【０００３】
【特許文献１】特許第２６０７１８９号公報
【特許文献２】特許第３７８９１０２号公報
【特許文献３】特開２００１−１２８８０４号公報
【発明の概要】
【発明が解決しようとする課題】
【０００４】
しかし、上記特許文献１に記載されているものでは、発泡弾性体における背板の透孔を通して結合した部分が破損し易いため、耐久性が悪く、特許文献２に記載されているものでは、袋状としたクッション体が、背板に対して位置ずれするおそれがあり、また特許文献３に記載されているものでは、弾性挾持板等の複雑な構造の部品が必要であり、コストの増大を招く等の問題がある。
【０００５】
本発明は、従来の技術が有する上記のような問題点に鑑み、背板にクッション体を、簡単な構造で、迅速に、かつ位置ずれ等が生じることなく、安定よく確実に取付けることができ、しかも耐久性と体裁のよい椅子の背板へのクッション体の取付構造を提供することを目的としている。
【課題を解決するための手段】
【０００６】
本発明によると、上記課題は、次のようにして解決される。
（１）クッション体を下方に向かって二つ折りして、背板の上方より被嵌し、クッション体における背板の前面を覆う前覆い部の後面に設けた係合部を、クッション体における背板の後面を覆う後覆い部の前面に設けた被係合部に、背板に設けた貫通孔を介して係合させることにより、クッション体を背板に取付ける。
【０００７】
このような構成とすると、クッション体を下方に向かって二つ折りして、背板の上方より被嵌し、係合部と被係合部とを、背板に設けた貫通孔を介して係合させるだけで、クッション体を、背板に簡単かつ迅速に、しかも体裁よく取付けることができる。
また、係合部と被係合部とが、背板に設けた貫通孔を介して係合していることにより、背板に対するクッション体の位置ずれが防止され、クッション体を背板に安定よく確実に取付けることができ、また取付け後の耐久性もよい。
さらに、背板に、特許文献２における被係合部のような部材を設ける必要がないので、背板の加工が容易であり、しかも上記のような被係合部が破損するといったおそれがなく、背板の耐久性がよい。
【０００８】
（２）上記(１)項において、クッション体における前覆い部の下端部後面または後覆い部の下端部前面を、背板における対応部に係止する係止手段を設ける。
【０００９】
このような構成とすると、前覆い部または後覆い部に上下方向の張りを持たせることができるとともに、それらの下縁の背板からの剥離を防止することができる。
【００１０】
（３）上記(１)または(２)項において、背板における中間部から下方の部分を、上方の部分より後方に凹入させるとともに、その前面を前面覆い板により覆い、背板の上方の部分の前面と前面覆い板の前面とを、側面視において中間部が前方に突出するなだらかな屈曲面とし、クッション体における前覆い部により、前記屈曲面の全面を覆うとともに、クッション体における後覆い部により、前記背板の上方の部分の後面を覆う。
【００１１】
このような構成とすると、背板の中間部から下方の部分と前面覆い板とにより、背凭れの下部の剛性は高められるとともに、背凭れの上部の可撓性を高めることができ、しかも背凭れの前面全体をクッション体で覆い、同じく後面を、背板の中間部から上方の部分のみをクッション体で覆い、それより下方の部分を、背板の背面を露呈させて、デザイン性を高めることができる。
【００１２】
（４）上記(１)〜(３)項のいずれかにおいて、クッション体が、背面側に可撓性の縁材を備えるものとし、この縁材に、係合部および被係合部を設ける。
【００１３】
このような構成とすると、係合部および被係合部の強度を高めることができるとともに、クッション体の構成を簡素化することができる。
【００１４】
（５）上記(１)〜(４)項のいずれかにおいて、背板の両側縁に、背板より前後方向に突出する側杆を設け、クッション体を、前記左右の側杆間に配設する。
【００１５】
このような構成とすると、背凭れの両側部の強度を高めることができるとともに、クッション体の左右方向の位置ずれを防止することができ、さらに、クッション体の両側縁を防護することができる。
【発明の効果】
【００１６】
本発明によると、背板に、クッション体を、簡単な構造で、迅速に、しかも位置ずれ等が生じることなく、安定よく確実に取付けることができるとともに、耐久性と体裁のよい椅子の背板へのクッション体の取付構造を提供することができる。
【図面の簡単な説明】
【００１７】
【図１】本発明の一実施形態を備える椅子の側面図である。
【図２】同じく、背面図である。
【図３】背凭れを斜め前方より見た分解斜視図である。
【図４】背板と前面覆い板との正面図である。
【図５】背凭れを、一方の背凭れ支持杆の中心線に沿って縦断した縦断側面図である。
【図６】背凭れを、図４に示すＡ−Ａ線に沿って横断した横断平面図である。
【図７】背凭れを、図４に示すＢ−Ｂ線に沿って横断した横断平面図である。
【図８】背凭れを、図４に示すＣ−Ｃ線に沿って横断した拡大横断平面図である。
【発明を実施するための形態】
【００１８】
以下、本発明の一実施形態を、添付図面に基づいて説明する。
図１〜図３に示すように、この椅子は、先端部にキャスタ１を備える放射状をなす５本の脚杆２を有する脚体３を備えている。脚体３の中央には、ガススプリング(図示略)を備える伸縮式の脚柱４が立設されており、脚柱４の上端には、支基５の後部が固着されている。
【００１９】
支基５は、上面が開口するほぼ中空箱状をなし、上面の開口部は、着脱可能なカバー５ａにより覆われている。
【００２０】
支基５の内部には、背凭れ６を起立する方向、すなわち前方に向かって付勢する付勢手段や、支基５によって支持された座７を前方に向かって付勢する付勢手段(いずれも図示略)等が設けられているが、それらについては、本発明に直接関係しないので、図示および詳細な説明は省略する。
【００２１】
背凭れ６は、図３に示すように、中間の屈曲部同士が左右方向を向く連結板８をもって連結された側面視Ｌ字状の左右１対の背凭れ支持杆９、９により支持されている。
この背凭れ支持杆９、９の前端部は、左右方向の軸１０をもって支基５に枢着され、支基５の後端部と連結板８とに前後の端部が連結されたガススプリング１１(図１参照)の作用により、背凭れ支持杆９、９と背凭れ６とは、軸１０を中心として、前後方向に回動したり、所望の後傾角度で停止させられたりし得るようになっている。
【００２２】
図３に示すように、背凭れ６は、左右１対の側杆１２、１２と、両側杆１２、１２同士を連結するとともに、前後方向の厚さを両側杆１２、１２の前後方向の厚さより小とした背板１３とを備えている。
背板１３における中間部から上方の上半部１３ａは、両側杆１２、１２の前縁寄りに、同じく中間部から下方の下半部１３ｂは、両側杆１２、１２の後縁寄りに接合し、それらの中間には、水平の段差部１３ｃ(図５参照)が形成されている。
この両側杆１２、１２と背板１３とは、弾性を有する硬質合成樹脂材料により、一体成形して形成するのが好ましい。
【００２３】
このように、背凭れ６を、左右１対の側杆１２、１２と、両側杆１２、１２同士を連結するとともに、前後方向の厚さを両側杆１２、１２の前後方向の厚さより小とした背板１３とを備えるものとしてあるので、背凭れ６の両側部の強度が低下することなく、左右の側杆１２、１２と背板１３とを、同一材料により一体成形することができるとともに、背板１３に可撓性を持たせることもできる。
【００２４】
背板１３の上半部１３ａには、可撓性を大とするための上下方向に長い多数の長孔１４が設けられている。
また、背板１３の下半部１３ｂの前面両側部には、剛性を高めるための多数のリブ１５が設けられている。
【００２５】
背凭れ６は、背板１３の下半部１３ｂの前面における左右のリブ１５、１５の間に、左右の背凭れ支持杆９、９の上端部を差し込み、かつ図示を省略した取付部材をもって、連結板８を背板１３の下半部１３ｂに固着し、それらの前面を、背板１３の下半部１３ｂとほぼ同形をなす前面覆い板１６をもって、その前面が背板１３の上半部１３ａの前面と整合するようにして覆った状態で、背凭れ支持杆９、９に支持されている。
【００２６】
前面覆い板１６は、その後面の四隅部に突設した後方を向く複数のピンを、背板１３の下半部１３ｂの前面における多数のリブ１５の交差部に設けた嵌合孔に嵌合することにより、背板１３に取付けられているが、本発明には直接関係しないので、図示および詳細な説明は省略する。
【００２７】
図２、図３および図５に示すように、両側杆１２、１２と背板１３と前面覆い板１６とは、上下方向の中間部が前方に突出するように側面視く字状に屈曲し、両側杆１２、１２は、背板１３および前面覆い板１６より前後方向に突出し、縁枠をなしている。
【００２８】
背凭れ６における左右の側杆１２、１２の前後両面には、後方および前方に向かって凹入する上下方向を向く前後１対の凹溝１７、１８が、互いに前後方向に整合させて設けられ、この凹溝１７、１８が設けられた部分の各側杆１２の水平断面は、図６〜図８に示すように、前後方向を向くほぼＨ字状をなしている。
【００２９】
図３および図４に示すように、背板１３における上半部１３ａの両側部には、複数の貫通孔１９が、上下方向に適宜の間隔をもって設けられており、また上半部１３ａの下端部には、前面から後方に凹入する複数の凹部２０が、左右方向に適宜の間隔をもって設けられている。各凹部２０の後壁には、狭幅部２１ａの下端に拡幅部２１ｂが連設されただるま孔２１がそれぞれ設けられている。
【００３０】
前面覆い板１６における下端両側部には、上記だるま孔２１と同様の左右１対のだるま孔２１が設けられている。
【００３１】
前面覆い板１６の前面と、背板１３の上半部１３ａの前面と、背板１３の上半部１３ａの後面とは、下方に向かって二つ折りしたクッション体２２により覆われている。
【００３２】
クッション体２２は、側面視において中間部が前方に突出するなだらかな屈曲面をなす、背板１３の上半部１３ａの前面と前面覆い板１６の前面との全面を覆う前覆い部２２ａと、背板１３の上半部１３ａの後面を覆う後覆い部２２ｂと、それらを結合する屈曲部２２ｃとからなっている。
【００３３】
また、クッション体２２は、発泡ウレタン等の弾性体２３と、その表面と外周とを被包する表皮材２４と、弾性体２３の背面の外周縁において、表皮材２４の周縁に止着された可撓性の縁材２５とを備えている。
【００３４】
前覆い部２２ａの後面における両側部の縁材２５の後面には、背板１３における各貫通孔１９に対応する複数の係合突起(係合部)２６が、貫通孔１９の間隔と等間隔をもって上下方向に並べて突設されている。
各係合突起２６は、図８に示すように、中空筒状の軸部２６ａの先端に、截頭円錐形の拡幅頭部２６ｂが設けられたものよりなっている。
【００３５】
後覆い部２２ｂの前面における両側部の縁材２５の前面には、背板１３における各貫通孔１９に対応する複数の係合受け部(被係合部)２７が、貫通孔１９の間隔と等間隔をもって上下方向に並べて突設されている。
各係合受け部２７は、前方を向く筒部２７ａの前端に、斜め内後方を向く折り返し爪２７ｂが連設されたものよりなっている。
【００３６】
また、前覆い部２２ａの後面における下端部の縁材２５の後面には、左右１対の係止突起２８が、背板１３の下半部１３ｂにおける左右のだるま孔２１と対応するように設けられている。
各係止突起２８は、図６に示すように、軸部２８ａの先端に拡幅頭部２８ｂが連設された平面視Ｔ字状をなしている。軸部２８ａの幅は、だるま孔２１における狭幅部２１ａの幅よりわずかに小とし、拡幅頭部２８ｂは、だるま孔２１における拡幅部２１ｂの幅よりわずかに小としてある。
【００３７】
さらに、後覆い部２２ｂの前面における下端部の縁材２５の前面には、上記係止突起２８と同様の複数の係止突起２８が、背板１３の上半部１３ａにおける複数のだるま孔２１と対応するように設けられている。
【００３８】
各係止突起２８と、それに対応するだるま孔２１とにより、クッション体２２における前覆い部２２ａの下端部後面または後覆い部２２ｂの下端部前面を、背板１３における対応部に係止する係止手段が形成されている。
【００３９】
クッション体２２は、屈曲部２２ｃにおいて下方に向かって二つ折りした状態で、背板１３に上方より被嵌し、次いで、図７に示すように、後覆い部２２ｂの前面における複数の係止突起２８を、拡幅頭部２８ｂを背板１３の上半部１３ａにおける複数のだるま孔２１の拡幅部２１ｂに嵌合して、若干持ち上げることにより、その軸部２８ａをだるま孔２１の狭幅部２１ａに係合させることにより、背板１３の上半部１３ａにおける複数のだるま孔２１に係止し、次いで、図６に示すように、前覆い部２２ａの後面における左右１対の係止突起２８を、前面覆い板１６の下部における左右１対のだるま孔２１に、拡幅頭部２８ｂをだるま孔２１の拡幅部２１ｂに嵌合して、若干持ち上げることにより、その軸部２８ａをだるま孔２１の狭幅部２１ａに係合させることにより、前面覆い板１６の下部における左右１対のだるま孔２１係止し、その後、図８に示すように、クッション体２２における前覆い部２２ａの後面に設けた左右の係合突起２６を、後覆い部２２ｂの前面に設けた対応する係合受け部２７に、背板１３に設けた貫通孔１９内において互いに係合させることにより、背板および前面覆い板１６に、簡単かつ迅速に取付けられる。
【００４０】
図８に示すように、各係合突起２６を、背板１３の貫通孔１９内において、対応する係合受け部２７の筒部２７ａに嵌合し、係合突起２６の拡幅頭部２６ｂの両側部が、折り返し爪２７ｂの後端面に係合すると、各係合突起２６は、係合受け部２７および背板１３の貫通孔１９から抜け止めされ、クッション体２２は上下、左右に位置ずれするのが防止されるとともに、クッション体２２における前覆い部２２ａと後覆い部２２ｂとが前後方向に拡開するのが阻止される。
【００４１】
クッション体２２は、左右の側杆１２、１２間に配設してあるので、両側杆１２、１２により、クッション体２２の左右方向の位置ずれが防止されるとともに、クッション体２２の両側縁が防護される。
【００４２】
クッション体２２は、上記のようにして背凭れ６に取付られるので、取付作業が簡単であり、取付けた後の体裁もよい。
また、係合突起２６と係合受け部２７とが、背板１３に設けた貫通孔１９を介して係合しているので、背板１３に対するクッション体２２の位置ずれが防止でき、クッション体２２を背板１３に安定よく確実に取付けることができ、取付け後の耐久性もよい。
【００４３】
本発明は、上記実施形態のみに限定されるものではなく、以下のような幾多の変形した態様での実施が可能である。
(１)  係合部と被係合部との関係を、上記の係合突起２６と係合受け部２７との係合以外の相互係合手段とする。
(２)  係合突起２６をクッション体２２における後覆い部２２ｂに設け、係合受け部２７をクッション体２２における前覆い部２２ａに設ける。
(３)  係止手段を、だるま孔２１と係止突起２８との係合だけでなく、フックと係合孔との係合、その他の手段とする。
(４)  だるま孔２１をクッション体２２の縁材２５等に設け、係止突起２８を背板１３または前面覆い板１６に設ける。
(５)  クッション体２２における前覆い部２２ａの係止突起２８とそれに対向するだるま孔２１と、クッション体２２における後覆い部２２ｂの係止突起２８とそれに対向するだるま孔２１とのいずれか一方省略する。またはその省略したものに代えて、別の係止手段を設ける。
【符号の説明】
【００４４】
１  キャスタ
２  脚杆
３  脚体
４  脚柱
５  支基
５ａカバー
６  背凭れ
７  座
８  連結板
９  背凭れ支持杆
１０  軸
１１  ガススプリング
１２  側杆
１３  背板
１３ａ上半部
１３ｂ下半部
１３ｃ段差部
１４  長孔
１５  リブ
１６  前面覆い板
１７、１８  凹溝
１９  貫通孔
２０  凹部
２１  だるま孔
２１ａ狭幅部
２１ｂ拡幅部
２２  クッション体
２２ａ前覆い部
２２ｂ後覆い部
２２ｃ屈曲部
２３  弾性体
２４  表皮材
２５  縁材
２６  係合突起(係合部)
２６ａ軸部
２６ｂ拡幅頭部
２７  係合受け部(被係合部)
２７ａ筒部
２７ｂ折り返し爪
２８  係止突起
２８ａ軸部
２８ｂ拡幅頭部
【図１】
0005479856.tif 000002
【図２】
0005479856.tif 000003
【図３】
0005479856.tif 000004
【図４】
0005479856.tif 000005
【図５】
0005479856.tif 000006
【図６】
0005479856.tif 000007
【図７】
0005479856.tif 000008
【図８】
0005479856.tif 000009